【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
部屋の天井に設置可能な照明装置であって、
複数の光源が前記照明装置の長手方向に配列される第１の基板と、
前記複数の光源を覆うように設けられる透光性カバーと、
前記照明装置の位置を特定する情報を送信する位置情報送信部と、を備え、
前記照明装置が部屋の天井に設置された際には、前記複数の光源から鉛直方向下方に光を照射可能であって、前記第１の基板よりも鉛直方向下方に設けられた前記透光性カバーの近くに前記位置情報送信部が設けられる
ことを特徴とする照明装置。
【請求項２】
前記位置情報送信部は、前記天井に設置するために当該照明装置の両端部に設けられた口金のうち何れか一方の口金に最も近い光源と前記一方の口金との間に設けられることを特徴とする請求項１に記載の照明装置。
【請求項３】
前記位置情報送信部は、前記位置を特定する情報を連続的又は断続的に送信する
ことを特徴とする請求項１又は２に記載の照明装置。
【請求項４】
前記位置情報送信部は、屋内測位が可能な通信方式を用いて前記位置を特定する情報を送信する
ことを特徴とする請求項１から３の何れか一項に記載の照明装置。
【請求項５】
前記位置を特定する情報は、当該照明装置の経緯座標、当該照明装置が配置される建物のフロア情報及び当該照明装置が配置される建物情報のうち少なくとも１つ以上を含む
ことを特徴とする請求項１から４の何れか一項に記載の照明装置。
【請求項６】
前記位置情報送信部による前記位置を特定する情報の送信を制御する送信制御部を含む位置情報送信モジュールを有し、
前記位置情報送信部は、前記位置情報送信モジュール上に設けられている
ことを特徴とする請求項１から５の何れか一項に記載の照明装置。
【請求項７】
前記位置情報送信部は、前記光源の発光色と同じ色で表面が着色されている
ことを特徴とする請求項１から６の何れか一項に記載の照明装置。
【請求項８】
所定の位置を特定する情報を有し部屋の天井に設置可能な照明装置と、前記照明装置から前記位置を特定する情報を受信して前記位置を特定する情報と共に識別情報を前記照明装置に送信する端末と、前記照明装置から前記位置を特定する情報と前記識別情報とを受信して前記端末の位置を管理する管理サーバとを有する位置情報管理システムであって、
前記照明装置は、
複数の光源が前記照明装置の長手方向に配列される第１の基板と、
前記複数の光源を覆うように設けられる透光性カバーと、
前記照明装置の前記位置を特定する情報を送信する位置情報送信部と、を備え、
前記照明装置が部屋の天井に設置された際には、前記複数の光源から鉛直方向下方に光を照射可能であって、前記第１の基板よりも鉛直方向下方に設けられた前記透光性カバーの近くに前記位置情報送信部が設けられる、
ことを特徴とする位置情報管理システム。
【請求項９】
部屋の天井に設置可能な照明装置であって、
複数の光源が前記照明装置の長手方向に配列される第１の基板と、
前記複数の光源を覆うように設けられる透光性カバーと、
端末からの信号を受信可能な無線通信部と、を備え、
前記照明装置が部屋の天井に設置された際には、前記複数の光源から鉛直方向下方に光を照射可能であって、前記第１の基板よりも鉛直方向下方に設けられた前記透光性カバーの近くに前記無線通信部が設けられる、
ことを特徴とする照明装置。
【請求項１０】
前記無線通信部は、前記天井に設置するために当該照明装置の両端部に設けられた口金のうち何れか一方の口金に最も近い光源と前記一方の口金との間に設けられる
ことを特徴とする請求項９に記載の照明装置。
【請求項１１】
前記無線通信部は、前記端末から所定の時刻又は所定の間隔で送信される前記信号を受信することを特徴とする請求項９又は１０に記載の照明装置。
【請求項１２】
前記無線通信部による前記信号の受信を制御する無線通信制御部を含む無線通信モジュールを有し、
前記無線通信制御部は、前記無線通信モジュール上に設けられている
ことを特徴とする請求項９から１１の何れか一項に記載の照明装置。
【請求項１３】
前記無線通信部は、前記光源の発光色と同じ色で表面が着色されていることを特徴とする請求項９から１２の何れか一項に記載の照明装置。
【請求項１４】
部屋の天井に設置可能な照明装置であって、
複数の光源が前記照明装置の長手方向に配列される第１の基板と、
前記複数の光源を覆うように設けられる透光性カバーと、
端末からの信号を受信する端末情報受信部及び前記受信した前記信号を外部に送信する端末情報送信部と、を備え、
前記照明装置が部屋の天井に設置された際には、前記複数の光源から鉛直方向下方に光を照射可能であって、前記第１の基板よりも鉛直方向下方に設けられた前記透光性カバーの近くに前記端末情報受信部及び前記端末情報送信部が設けられる、
ことを特徴とする照明装置。
【請求項１５】
前記端末情報受信部及び前記端末情報送信部は、前記天井に設置するために当該照明装置の両端部に設けられた口金のうち何れか一方の口金に最も近い光源と前記一方の口金との間に設けられる
ことを特徴とする請求項１４に記載の照明装置。
【請求項１６】
部屋の天井に設置可能な照明装置と、
前記照明装置と通信可能な端末と、
前記照明装置とネットワークを介して接続される位置情報管理装置と、を備える位置情報管理システムであって、
前記照明装置は、
複数の光源が前記照明装置の長手方向に配列される第１の基板と、
前記複数の光源を覆うように設けられる透光性カバーと、
端末からの信号を受信可能な無線通信部と、を備え、
前記照明装置が部屋の天井に設置された際には、前記複数の光源から鉛直方向下方に光を照射可能であって、前記第１の基板よりも鉛直方向下方に設けられた前記透光性カバーの近くに前記無線通信部と、を有し、
前記無線通信部は、前記第１の基板よりも前記透光性カバーに近づくように配置され、
前記位置情報管理装置は、前記照明装置で受信した前記端末からの信号を前記ネットワークを介して受信する
ことを特徴とする位置情報管理システム。
【請求項１７】
部屋の天井に設置可能な照明装置であって、
複数の光源が前記照明装置の長手方向に配列される第１の基板と、
前記照明装置の位置を特定する情報を送信する位置情報送信部と
前記照明装置の両端に設けられる口金と、を備え、
前記照明装置が部屋の天井に設置された際には、前記複数の光源から鉛直方向下方に光を照射可能であって、
前記位置情報送信部は、前記第１の基板よりも鉛直方向下方に設けられ、かつ、前記照明装置の両端に設けられる口金のうちの何れか一方の口金に最も近い光源と該一方の口金との間の領域に設けられる
ことを特徴とする照明装置。
【請求項１８】
部屋の天井に設置可能な照明装置であって、
複数の光源が前記照明装置の長手方向に配列される第１の基板と、
端末からの信号を受信する端末情報受信部及び前記受信した前記信号を外部に送信する端末情報送信部と、
前記照明装置の両端に設けられる口金と、を備え、
前記照明装置が部屋の天井に設置された際には、前記複数の光源から鉛直方向下方に光を照射可能であって、
前記端末情報受信部および前記端末情報送信部は、前記第１の基板よりも鉛直方向下方に設けられ、かつ、前記照明装置の両端に設けられる口金のうちの何れか一方の口金に最も近い光源と該一方の口金との間の領域に設けられる
ことを特徴とする照明装置。
【請求項１９】
所定の位置を特定する情報を有し部屋の天井に設置可能な照明装置と、前記照明装置から前記位置を特定する情報を受信して前記位置を特定する情報と共に識別情報を前記照明装置に送信する端末と、前記照明装置から前記位置を特定する情報と前記識別情報とを受信して前記端末の位置を管理する管理サーバとを有する位置情報管理システムであって、
前記照明装置は、
複数の光源が前記照明装置の長手方向に配列される第１の基板と、
前記照明装置の位置を特定する情報を送信する位置情報送信部と
前記照明装置の両端に設けられる口金と、を備え、
前記照明装置が部屋の天井に設置された際には、前記複数の光源から鉛直方向下方に光を照射可能であって、
前記位置情報送信部は、前記第１の基板よりも鉛直方向下方に設けられ、かつ、前記照明装置の両端に設けられる口金のうちの何れか一方の口金に最も近い光源と該一方の口金との間の領域に設けられる
ことを特徴とする位置情報管理システム。
【請求項２０】
部屋の天井に設置可能な照明装置と、
前記照明装置と通信可能な端末と、
前記照明装置とネットワークを介して接続される位置情報管理装置と、を備える位置情報管理システムであって、
前記照明装置は、
複数の光源が前記照明装置の長手方向に配列される第１の基板と、
端末からの信号を受信する端末情報受信部及び前記受信した前記信号を外部に送信する端末情報送信部と、
前記照明装置の両端に設けられる口金と、を備え、
前記照明装置が部屋の天井に設置された際には、前記複数の光源から鉛直方向下方に光を照射可能であって、
前記端末情報受信部および前記端末情報送信部は、前記第１の基板よりも鉛直方向下方に設けられ、かつ、前記照明装置の両端に設けられる口金のうちの何れか一方の口金に最も近い光源と該一方の口金との間の領域に設けられる
ことを特徴とする位置情報管理システム。